【手続補正書】
【提出日】平成16年11月29日(2004.11.29)
【手続補正１】
【補正対象書類名】明細書
【補正対象項目名】請求項３
【補正方法】変更
【補正の内容】
【請求項３】
上記ファイルデータ間区切手段は、各ファイルデータの印刷部分の前又は後の少なくとも一方に上記ブロックデータを印刷しない仕切ブロックを設けると共に、該仕切ブロックと、該仕切ブロックが設けられたファイルデータの印刷部分との境界を半切りするか又は該境界に区切線を印刷し、該仕切ブロックと、他の仕切ブロック又は他のファイルデータの印刷部分との境界を半切り又は全切りするか、又は該境界に区切線を印刷
する印刷形態で各ファイルデータの印刷部分同士の境界を区切り、上記ブロック区切手段は、上記各ブロック同士の境界に区切線を印刷する印刷形態か、又は、各ブロック同士の境界を半切りする切断形態でブロック同士の境界を区切り可能であることを特徴とする請求項１に記載の長尺媒体印刷装置。
【手続補正２】
【補正対象書類名】明細書
【補正対象項目名】０００３
【補正方法】変更
【補正の内容】
【０００３】
この長尺媒体印刷装置で、上記ファイルデータを複数、長尺媒体の長手方向に連続させて印刷する場合、各ファイルデータ中の各ブロックデータが印刷されて形成される各ブロック同士の境界、及び、各ファイルデータの印刷部分同士の境界を、切断手段ｅによって部分的に切断、すなわち半切りすることにより、各ブロック間及び各ファイルデータの印刷部分間を区切るようにしている。また、特開平１１−２２７２７６号公報に記載の装置では、各ファイルデータの印刷部分間を半切りする代わりに切断手段ｅによって完全に切断、すなわち全切りすることにより、ファイルデータ毎の印刷物を得ることも行われている。
【手続補正３】
【補正対象書類名】明細書
【補正対象項目名】０００４
【補正方法】変更
【補正の内容】
【０００４】
【発明が解決しようとする課題】上記従来の長尺媒体印刷装置のように、上記各ブロック同士の境界と各ファイルデータの印刷部分同士の境界との双方を半切りで区切るようにすると、半切りされている箇所がブロック同士の境界になされた区切りなのか、ファイルデータの印刷部分同士の境界になされた区切りなのか判別しずらい。そのため、作製された印刷物を各ファイルデータの印刷部分毎に分断して使用する場合に、ファイルデータの印刷部分間の区切りを探す作業が非常に困難であった。
【手続補正４】
【補正対象書類名】明細書
【補正対象項目名】０００５
【補正方法】変更
【補正の内容】
【０００５】
また、上記特開平１１−２２７２７６号公報に記載の装置のように、半切りの代わりに全切りによって各ファイルデータの印刷部分同士の境界を区切るようにすると、印刷物の作製後、ブロックの印刷部分間の半切りが千切れて全切りしたような状態になった場合に、その千切れた箇所をファイルデータの印刷部分間の区切りと誤認してしまうといった問題があった。
【手続補正５】
【補正対象書類名】明細書
【補正対象項目名】００５０
【補正方法】変更
【補正の内容】
【００５０】
続いて制御部１５は、ブロック区切手段が「半切り」切断形態か否かを判断する（Ｓ７３）。ここではブロック区切手段として「半切り」切断形態が設定されている。そのため、上記したように、仕切ブロック同士の境界を半切りするように設定されている。したがって制御部１５は区切線を展開する（Ｓ７４）ことなく、次の処理に移行する。
【手続補正６】
【補正対象書類名】明細書
【補正対象項目名】００５５
【補正方法】変更
【補正の内容】
【００５５】
上記印刷されたチューブはカッタ７位置に向けて搬送され（Ｓ８０）、最初のファイルデータの前側仕切ブロックの前端がカッタ７の位置に対向した場合（Ｓ８１）、制御部１５によりブロック区切手段が「半切り」切断形態か否かが判断され（Ｓ８２）、「半切り」切断形態の場合には、前側仕切ブロックの印刷部分の先端がカッタ７により半切りされる（Ｓ８３）。ブロック区切手段が「半切り」切断形態でない場合には、前側仕切ブロックの印刷部分の先端がカッタ７により全切り２１される（Ｓ８４）。ここではブロック区切手段として「半切り」切断形態が設定されているので、前側仕切ブロックの印刷部分の先端がカッタ７により全切り２１される（Ｓ８３）。更に搬送が継続されると、ファイルデータＤ１の１番目のブロック「Ａ１」の印刷部分の前端がカッタ７の位置に対向する（Ｓ８５）。ここで、ブロック区切手段が「半切り」切断形態か否かの判断が行われ（Ｓ８６）、「半切り」切断形態の場合には、ブロックの印刷部分の前端がカッタ７により半切り２２される（Ｓ８７）。ブロック区切手段が「半切り」切断形態でない場合には、切断処理が行われずに次の処理に移行する。ここではブロック区切手段として「半切り」切断形態が設定されているので、ブロックの印刷部分の前端がカッタ７により半切り２２される（Ｓ８７）。これと同様にして、ファイルデータＤ１の２番目のブロック「Ａ１」の印刷部分の前端、「Ｘ−１」と印刷された後側仕切ブロックの前端がカッタ７により半切り２２される（Ｓ８７）。
【手続補正７】
【補正対象書類名】明細書
【補正対象項目名】００５６
【補正方法】変更
【補正の内容】
【００５６】
続いてファイルデータＤ２の前側仕切ブロックの印刷部分の先端がカッタ７により全切り２１され（Ｓ８４）、ファイルデータＤ１と同様に印刷・区切が行われる。このようにして、全ての印刷イメージ（ここでは、ファイルデータＤ１、Ｄ２のイメージデータ）についての印刷・区切りが完了するまで、処理（Ｓ８０〜Ｓ８７）が繰り返される（Ｓ８８）。尚、ファイルデータの印刷部分同士の境界やブロック同士の境界がカッタ７に対向する位置まで搬送されたか否かの判断は、ファイルデータの長さ、各ブロックデータの長さ及びサーマルヘッド６からカッタ７位置までの距離に基づいて行われる。例えばファイルデータの印刷部分同士の境界については、仕切ブロックを含むファイルデータの長さとサーマルヘッド−カッタ間距離とから求めた搬送量だけ搬送したとき、各ブロック同士の境界については、各ブロックデータの長さとサーマルヘッド−カッタ間距離とから求めた搬送量だけ搬送したときに、カッタ７に対向したと判断する。全ての印刷イメージについて印刷・区切が終了すると（Ｓ８８）、制御部１５の制御により最後のファイルデータの後側仕切ブロックの最後端をカッタ７位置まで搬送し（Ｓ８９）、該最後端を切断する全切り処理が実行される（Ｓ９０）。これで印刷・区切の処理が終了し印刷物の作成が完了する。ここで、該全切り処理は、ブロック区切手段の形態に関係なく実行される。
【手続補正８】
【補正対象書類名】明細書
【補正対象項目名】００６１
【補正方法】変更
【補正の内容】
【００６１】また、複数のファイルデータの印刷方法として、第１の実施の形態では反復印刷の設定をした場合、第２の実施の形態では複数のファイルを選択した場合で説明するが、ファイルデータを複数印刷する方法はこの実施の形態に限定するものではなく、例えばこれらを組み合わせた印刷でもよい。
【００６２】尚、上記ファイルデータの各ブロックをさらに小さな単位の小ブロックに分割して設定可能にし、各小ブロックの印刷部分間を、各ブロックの印刷部分間の区切り及び各ファイルデータの印刷部分間の区切りの両方と異なる区切り、例えばライン印刷によって区切るようにしても良い。
【手続補正９】
【補正対象書類名】明細書
【補正対象項目名】００６３
【補正方法】変更
【補正の内容】
【００６３】
【発明の効果】以上、本発明によれば、各ファイルデータ中の各ブロック間の区切りと各ファイルデータの印刷部分間の区切りとで区切りの形態が異なるので、印刷された長尺媒体の両区切りが判別し易い。また、ブロック間を印刷形態によって区切る場合にファイルデータの印刷部分間を切断形態か印刷形態で区切るようにすれば、ファイルデータの印刷部分間の区切りとブロック間の区切りとが判別し易く、また、ブロック間が千切れたりすることがないので印刷物がファイルデータ毎に区切られていることの確認が容易となる。
【手続補正１０】
【補正対象書類名】図面
【補正対象項目名】図１１
【補正方法】変更
【補正の内容】
【図１１】
2003159846.tif 000001